(57)【特許請求の範囲】
【請求項１】
記録媒体に対して画像信号の記録を行い、外付けユニットの装着可能な記録装置において、
上記外付けユニットの装着を検出する外付けユニット検出手段と、
上記外付けユニットに対して電源を供給する電源供給手段と、
上記電源供給手段を制御する制御手段とを備え、
上記記録装置の上記記録媒体に画像信号を記録する記録機能が実行されていない場合に、上記外付けユニット検出手段が上記外付けユニットの装着を検出したときは、上記電源供給手段による上記外付けユニットへの電源供給が自動的にオンされ、上記記録媒体に対する上記記録機能が実行される場合に、上記外付けユニット検出手段が上記外付けユニットの装着を検出したときは、上記制御手段は上記電源供給手段による上記外付けユニットに対する電源供給を制限させる制御をし、
上記外付けユニットは、情報を記録する記録手段であることを特徴とする記録装置。
【請求項２】
記録媒体に対して画像信号の記録を行い、外付けメモリの装着可能な記録装置において、
上記外付けメモリの装着を検出するメモリ検出手段と、
上記外付けメモリへアクセスするアクセス手段と、
上記アクセス手段を制御する制御手段とを備え、
上記記録装置の上記記録媒体に画像信号を記録する記録機能が実行されていない場合に、上記メモリ検出手段が上記外付けメモリの装着を検出したときは、上記アクセス手段による上記外付けメモリへのアクセスが自動的にオンされ、上記記録装置の上記記録媒体に対する上記記録機能が実行されている場合、又は上記記録装置が上記記録媒体に対して上記記録機能を行うモードに入った場合に、上記メモリ検出手段が上記外付けメモリの装着を検出したときは、上記制御手段は上記アクセス手段による上記外付けメモリへのアクセスを制限させる制御をすることを特徴とする記録装置。
【請求項３】
記録媒体に対して少なくとも画像信号の記録及び／又は再生を行い、さらに外付けメモリを装着することが可能であり、装着された外付けメモリに対して画像信号の記録及び／又は再生を行う記録及び／又は再生装置において、
上記外付けメモリの装着を検出する外付けメモリ検出手段と、
上記外付けメモリへの電源の供給を制限するための制御信号を送信する制御手段と、
上記外付けメモリに対して電源を供給するとともに、上記制御手段からの制御信号に応じて、上記外付けメモリに供給される電源を制限するメモリパワーセーブ手段を備え、
上記記録媒体に画像信号が記録されていない場合に、上記外付けメモリ検出手段が上記外付けメモリの装着を検出したときは、上記メモリパワーセーブ手段による上記外付けメモリへの電源の供給が自動的にオンされ、上記記録媒体に画像信号が記録される場合に、上記外付けメモリ検出手段が上記外付けメモリの装着を検出したときは、上記制御手段は、上記外付けメモリ検出手段からの検出結果に応じて上記メモリパワーセーブ手段に上記制御信号を送信し、上記メモリパワーセーブ手段による上記外付けメモリに対する電源の供給を制限させる制御をすることを特徴とする記録及び／又は再生装置。
【請求項４】
該記録及び／又は再生装置は、上記外付けメモリ以外に外付けユニットを有し、上記外付けユニットの装着を検出する外付けユニット検出手段と、上記制御手段からの制御信号に応じて、上記外付けユニットに供給される電源を制限する外付けユニットパワーセーブ部を備えることを特徴とする請求項３記載の記録及び／又は再生装置。
【発明の詳細な説明】
【０００１】
【発明の属する技術分野】
本発明は、記録媒体に対して情報信号の記録及び／又は再生を行う記録及び／又は再生装置に関する。
【０００２】
【従来の技術】
従来、記録媒体に対して画像／音声信号の記録及び／又は再生を行う記録及び／又は再生装置が提供されている。
【０００３】
この記録及び／又は再生装置としては、磁気テープに対して画像信号の記録及び／又は再生を行うビデオテープレコーダ（video tape recorder; VTR）が提供されている。このようなＶＴＲとしては、画像信号の撮像を行うビデオカメラと一体として構成されるカメラ一体型ＶＴＲ、いわゆるカムコーダが提供されている。
【０００４】
カメラ一体型ＶＴＲには、動画を撮像する機能を備えるのはもちろん、静止画を撮像する機能を有するものがある。また、カメラ一体型ＶＴＲには、外部の機器と赤外線を用いて無線通信を行う機能を備えるものが提供されている。
【０００５】
さらに、カメラ一体型ＶＴＲには、機能を拡張するための種々のアクセサリまたは外付けユニットが提供されている。例えば、カメラ一体型ＶＴＲに装着して、撮像した動画または静止画を、例えばフロッピーディスクに記録するような外付けユニットが提供されている。また、外付けユニットの装着部であるアクセサリシューに装着して用いられる、撮影用の光源であるビデオライトが提供されている。このような外付けユニットには、通常はカメラ一体型ＶＴＲの本体から電源が供給される。
【０００６】
【発明が解決しようとする課題】
しかしながら、カメラ一体型ＶＴＲに、本体内蔵の部分や外付けユニットにより複数の機能を持たせ、しかも本体から電源を供給するとなると、全ての機能が働いた場合には消費電力が大きくなり、大容量の電源を要することになる。すなわち、大きな消費電力に対応するために、大きな電力供給能力を持ったバッテリーやＡＣアダプターが必要になる。ここで、ＡＣアダプターとは、家庭用のＡＣ電源をＤＣ数ボルトの電源に変換するアダプターである。
【０００７】
しかし、カメラ一体型ＶＴＲのセットの最大電力に対応したバッテリーやＡＣアダプターはコスト高になるし、通常動作時は過大な規格となる。また、電源を商品毎に用意すると必要とする電源の種類が増えて不便である。
【０００８】
すなわち、カメラ一体型ＶＴＲの最大電力に応じて電源を用意すると、本体および外付けユニットでの最大電力に見合った供給能力を持ったＡＣアダプターやバッテリーが必要となり、種類が増え、コストが増加し、製造、流通、ユーザーの全てに都合悪かった。
【０００９】
本発明は、上述の実情に鑑みてなされるものであって、多くの機能部分に対して本体から電源を供給する記録及び／又は再生装置であって、これら機能部分の最大電力が電源の供給能力を超える場合にも、消費電力を電源の供給能力以内に抑制するような記録及び／又は再生装置を提供することを目的とする。
【００１０】
【課題を解決するための手段】
上述の課題を解決するために、本発明に係る記録装置は、記録媒体に対して画像信号の記録を行い、外付けユニットの装着可能な記録装置において、上記外付けユニットの装着を検出する外付けユニット検出手段と、上記外付けユニットに対して電源を供給する電源供給手段と、上記電源供給手段を制御する制御手段とを備え、上記記録装置の上記記録媒体に画像信号を記録する記録機能が実行されていない場合に、上記外付けユニット検出手段が上記外付けユニットの装着を検出したときは、上記電源供給手段による上記外付けユニットへの電源供給が自動的にオンされ、上記記録媒体に対する上記記録機能が実行される場合に、上記外付けユニット検出手段が上記外付けユニットの装着を検出したときは、上記制御手段は上記電源供給手段による上記外付けユニットに対する電源供給を制限させる制御をし、上記外付けユニットは、情報を記録する記録手段である。
【００１１】
また、本発明に係る記録装置は、記録媒体に対して画像信号の記録を行い、外付けメモリの装着可能な記録装置において、上記外付けメモリの装着を検出するメモリ検出手段と、上記外付けメモリへアクセスするアクセス手段と、上記アクセス手段を制御する制御手段とを備え、上記記録装置の上記記録媒体に画像信号を記録する記録機能が実行されていない場合に、上記メモリ検出手段が上記外付けメモリの装着を検出したときは、上記アクセス手段による上記外付けメモリへのアクセスが自動的にオンされ、上記記録装置の上記記録媒体に対する上記記録機能が実行されている場合、又は上記記録装置が上記記録媒体に対して上記記録機能を行うモードに入った場合に、上記メモリ検出手段が上記外付けメモリの装着を検出したときは、上記制御手段は上記アクセス手段による上記外付けメモリへのアクセスを制限させる制御をするものである。
【００１２】
そして、本発明に係る記録及び／又は再生装置は、記録媒体に対して少なくとも画像信号の記録及び／又は再生を行い、さらに外付けメモリを装着することが可能であり、装着された外付けメモリに対して画像信号の記録及び／又は再生を行う記録及び／又は再生装置において、上記外付けメモリの装着を検出する外付けメモリ検出手段と、上記外付けメモリへの電源の供給を制限するための制御信号を送信する制御手段と、上記外付けメモリに対して電源を供給するとともに、上記制御手段からの制御信号に応じて、上記外付けメモリに供給される電源を制限するメモリパワーセーブ手段を備え、上記記録媒体に画像信号が記録されていない場合に、上記外付けメモリ検出手段が上記外付けメモリの装着を検出したときは、上記メモリパワーセーブ手段による上記外付けメモリへの電源の供給が自動的にオンされ、記録媒体に画像信号が記録される場合に、上記外付けメモリ検出手段が上記外付けメモリの装着を検出したときは、上記制御手段は、上記外付けメモリ検出手段からの検出結果に応じて上記メモリパワーセーブ手段に上記制御信号を送信し、上記メモリパワーセーブ手段による上記外付けメモリに対する電源の供給を制限させる制御をするものである。
【００１３】
ここで、動作モードとは、操作に応じて切り換えられる装置の動作のモードである。記録及び／又は再生装置は、この記録及び／又は再生装置の本体および外付けユニットの両方に対して電源を供給する。そして、記録及び／又は再生装置は、動作モードに応じて、各部への電源の供給を制限することにより、消費電力の低減を図るものである。例えば、記録及び／又は再生装置が光源を備える場合には、光源の使用する動作モードか否かに応じて、光源への電源供給を制限する。
【００１４】
【発明の実施の形態】
以下、本発明の好適な実施の形態について、図面を参照して説明する。本実施の形態として以下に挙げる記録及び／又は再生装置は、動画と共に静止画を記録することができるいわゆるカメラ一体型のビデオテープレコーダ（video tape recorder; VTR）である。
【００１５】
すなわち、本実施の形態に係る記録及び／又は再生装置は、光学的な画像を画像信号に変換する部分と、テープ状の記録媒体に対して画像信号の記録及び／又は再生を行う部分との両方を備えるいわゆるカムコーダである。
【００１６】
この記録及び／又は再生装置は、動画に限られず静止画も扱うことができ、外部に接続された外付けユニットのメディアに静止画を記録することができる。外部に接続されるメディアには、記録及び／又は再生装置の本体から電源を供給する。
【００１７】
そして、記録及び／又は再生装置は、赤外線レーザ光等の赤外線によるインターフェースいわゆるＩＲ（infrared）を備え、外部の機器と無線による光通信による交信が可能である。
【００１８】
なお、本実施の形態においては、本実施の形態に特徴的である回路部分を中心に説明するために、この記録及び／又は再生装置の光学部分については説明を省略する。
【００１９】
まず、本実施の形態の記録及び／又は再生装置の構成について、図１に示すブロック図を参照して説明する。また、本実施の形態の記録及び／又は再生装置の外観については、図２および図３に示すように、略々直方体状の筐体の本体２２を有している。図２はビューファインダー３４を起こした状態、図３は液晶画面３６を開いた状態での装置の外観の斜視図である。
【００２０】
本実施の形態の記録及び／又は再生装置は、図示しないビデオカメラから供給される画像信号を処理するカメラ信号処理部１と、ビデオ信号の処理を行うビデオ信号処理部２と、テープ走行部の駆動等を行う機構部であるメカデッキ３と、カセットの挿入を検出するカセット挿入検出部４と、静止画に対する信号処理を行う静止画信号処理部５とを有している。
【００２１】
記録及び／又は再生装置には、図示しないビデオカメラから、被写体を撮像することにより得られた、例えば輝度信号や色差信号からなる画像信号が入力される。カメラ信号処理部１は、このようにビデオカメラから入力される信号に対して処理を行う。例えば、カメラ信号処理部１は、ビデオカメラから入力される信号に対して所定の変換を施す。
【００２２】
ビデオ信号処理部２は、この記録及び／又は再生装置におけるビデオ信号に対する処理を行う部分である。例えば、ビデオ信号処理部２は、この記録及び／又は再生装置におけるビデオ信号について、記録媒体に記録及び／又は再生する際に、所定のフォーマットに従った変換を行う。
【００２３】
メカデッキ３は、記録及び／又は再生装置に挿入され走行駆動されるテープ状記録媒体を駆動する機構部分である。メカデッキ３は、例えばモータおよびギア等から構成される機構を有し、後述する制御部から与えられる制御信号に応じて、記録媒体を所定の方向に所定の速度にて駆動する。
【００２４】
カセット挿入検出部４は、テープ状記録媒体を収めるカセットが、この記録及び／又は再生装置に挿入されているか否かを検出する部分である。例えば、カセット挿入検出部４は、マイクロスイッチ等の検出素子によりカセットの挿入を検出し、その結果を後述する制御部に報告する。
【００２５】
静止画処理部５は、ビデオカメラから送られた画像信号を受け取り、静止画としての処理を施す部分である。上述したように、この記録及び／又は再生装置は、ビデオカメラから入力される画像信号を動画として記録する機能と共に、画像信号を静止画として記録する機能を有している。例えば、静止画処理部５は、入力される画像信号を静止画として記録するために、入力された画像信号に所定のフォーマットに従った変換を施す。
【００２６】
なお、図１においては、電源が供給される電源ラインを太線で、制御部からの制御信号が送られる制御ラインを破線で、制御部に送られる信号ラインを実線にて表している。また、この記録及び／又は再生装置の本体２２に相当する回路部分を、周囲が破線の矩形の領域で示している。
【００２７】
また、記録及び／又は再生装置は、モードの切り換えが入力されるファンクションスイッチ６と、入力操作を受け付ける操作スイッチ７と、この記録及び／又は再生装置の各部の制御を行う制御部８とを有している。
【００２８】
ファンクションスイッチ６は、図２および図３に示すように、記録及び／又は再生装置の本体の図中の右側に配設され、モードの切り換えを受け付ける入力操作部である。ファンクションスイッチ６には、例えば、オフ／カメラモード／ＶＴＲモード／メモリモードなどのモード切り換えが入力される。
【００２９】
例えば、カメラモードとは動画を撮影するモード、メモリモードとは静止画を撮影するモード、外付けメモリとの間で画像を処理するモードをそれぞれ示している。
【００３０】
操作スイッチ７は、この記録及び／又は再生装置における記録及び／又は再生等の操作についてのユーザーからの入力操作を受け付けるヒューマンインターフェース（human interface; H/I）部であって、スイッチ、ボタン等を備えている。操作スイッチ７は、例えば、記録（record;REC）、再生（play back;PB）、巻き戻し（reward;REW）、早送り（fast forward;FF）、オートフォーカス（autofocus; AF）等の操作が入力される。また、操作スイッチ７においては、例えば、最後の場面を確認するレックレビュー（REC review）、正方向または逆方向に再生するサーチするエディットサーチ（edit search ）、最後に撮影した部分に戻るエンドサーチ（end search）等についての操作も行われる。これによって、次の撮影開始点を探すことができる。
【００３１】
制御部８は、この記録及び／又は再生装置の各部に対する制御を統括して行う部分である。制御部８は、予め設定された所定の手順に従い、ファンクションスイッチ６および操作スイッチ７からの入力操作および各部から与えられる検知結果に応じて、制御信号を発して各部を制御する。この制御部８としては、例えば、ＣＰＵ、ＲＯＭおよびＲＡＭ等から構成されるいわゆるマイクロコントローラが用いられる。
【００３２】
制御部８から各部に送られる制御信号は、破線にて示されるように、オートフォーカスパワーセーブ部１０、ズームパワーセーブ部１２、赤外通信パワーセーブ部１４、シューパワーセーブ部１６、およびメモリパワーセーブ部の１９各部にそれぞれ送られる。
【００３３】
この制御信号の方向とは逆に、制御部８に送られる検知信号等は、実線にて示さるように、カセット検出部４を介したメカデッキ３、ファンクションスイッチ６、操作スイッチ７、ビデオライト検出部１７を介したビデオライト／フラッシュ１５、メモリ検出部２０を介した外付けメモリ１８のそれぞれから送られている。
【００３４】
制御部８においては、これら各部から与えられる検知信号等に応じて、各部にパワーセーブ等の制御信号を送る。すなわち、制御部８は、この記録及び／又は再生装置の現在の動作モードおよびこの記録及び／又は再生装置に対する外付けユニットの装着状態等に応じて、不要な部分への電源の供給を制限することにより、記録及び／又は再生装置の全体での消費電力の低減を図るように制御を行う。このような、消費電力の低減を図るパワーセーブの制御については、さらに後述する。
【００３５】
なお、制御部８については、上記以外の他の部分へ制御信号を送ったり、検知信号等を送られたりすることもあるが、本実施の形態のパワーセーブとは関連が薄いの説明を省略した。
【００３６】
さらに、記録及び／又は再生装置は、距離の調整、焦点合わせ等を行うオートフォーカス部９と、このオートフォーカス部９で消費される電力を低減するオートフォーカスパワーセーブ部１０とを有している。
【００３７】
オートフォーカス部９は、物体とその像との距離の変化に応じて光学系自身が、使用者の手を借りずに光学的、機械的、電気的に距離調節・焦点合わせの操作を行うものである。
【００３８】
オートフォーカスパワーセーブ部１０は、制御部８からの制御信号に応じて、オートフォーカス部９に供給される電源を制限する。例えば、オートフォーカス部９が使用されないときには、制御部８からの制御信号に従ってオートフォーカス部９への電源の供給を制限して電力の消費を低減する。
【００３９】
なお、図中の太線の電源ラインにて示されるように、オートフォーカス部９およびオートフォーカスパワーセーブ部１０においては、電源はオートフォーカスパワーセーブ部１０を介してオートフォーカス部９に供給されている。
【００４０】
そして、記録及び／又は再生装置は、映像サイズの拡大／縮小を行うズーム部１１と、このズーム部１１に対するパワーセーブの処理を行うズームパワーセーブ部１２とを有している。
【００４１】
ズーム部１１は、電気的、光学的、機械的に画像の大きさを連続して拡大／縮小する部分である。
【００４２】
ズームパワーセーブ部１２は、制御部８からの制御信号に応じて、ズーム部１１に供給される電源を制限する。例えば、ズーム部１１が使用されないときには、制御部８からの制御信号に従ってズーム部１１への電源の供給を制限して電力の消費を低減する。ズーム部１１には、ズームパワーセーブ部１２を介して電源が供給されている。
【００４３】
また、記録及び／又は再生装置は、外部の機器と赤外線にて通信を行うインターフェース部である赤外通信部１３と、この赤外通信部１３に対するパワーセーブの処理を行う赤外通信パワーセーブ部１４とを有している。
【００４４】
赤外通信部１３は、外部の機器との間で、所定の方式にて変調された赤外線を送信／受信することにより、この記録及び／又は再生装置と情報の伝送を行うインターフェース部である。例えば、赤外通信部１３からは、外部の機器との間でビデオ／オーディオ信号が伝送される。この赤外通信部１３は、例えば１Ｗ弱の電力を消費する。
【００４５】
赤外通信パワーセーブ部１４は、制御部８からの制御信号に応じて、赤外通信部１３に供給される電源を制限する。例えば、赤外通信部１３が使用されないときには、制御部８からの制御信号に従って赤外通信部１３への電源の供給を制限して電力の消費を低減する。赤外通信部１３には、赤外通信パワーセーブ部１４を介して電源が供給されている。
【００４６】
この記録及び／又は再生装置は、所定の外付けユニットの装着が可能である。図１においては、この記録及び／又は再生装置の本体２２に対応する各部を周囲を破線にて示した矩形の内部に本体２２に対応する部分を示し、本体２２に装着可能な外付けユニットをこの矩形の外側に配置している。
【００４７】
すなわち、この記録及び／又は再生装置は、図２および図３に示すように、筐体の外付けユニットの取り付け部であるアクセサリシュー（accessory shoe）３２等を介して、ビデオライト等の外付けユニットを装着することができる。
【００４８】
破線で示した矩形で示される記録及び／又は再生装置の本体２２の外側に配された外付けユニットは、本体２２に常に装着されているものではない。これら外付けユニットは、必要に応じて記録及び／又は再生装置の本体２２に装着される。
【００４９】
外付けユニットは、記録及び／又は再生装置の本体２２に装着された際には、その外付けユニットが電源を消費する場合は、通常は記録及び／又は再生装置の本体２２から電源が供給される。
【００５０】
記録再生／装置の本体の筐体の略々上部に備えられるアクセサリシュー３２には、例えば被写体を照射する光源の外付けユニットであるビデオライト／フラッシュ部１５の装着が可能である。
【００５１】
ビデオライト／フラッシュ部１５においては、例えば、ビデオライトは動画を撮像する際に光を連続的に照射する光源であり、ビデオフラッシュは静止画を撮像する際に光を不連続に照射する光源である。このビデオライト／フラッシュ部１５は、例えば４．２Ｗの電力を消費する。
【００５２】
記録及び／又は再生装置は、このビデオライト／フラッシュ部１５に対応する部分として、ビデオライト／フラッシュ部１５の装着を検出するビデオライト検出部１７と、ビデオライト／フラッシュ部１５に対するパワーセーブの処理を行うシューパワーセーブ部１６とを有している。
【００５３】
ビデオライト検出部１７は、アクセサリシュー３２に対するビデオライト／フラッシュ部１５の装着を検出する部分である。このビデオライト検出部１７は、例えば、ビデオライト／フラッシュ部１５から送られる識別情報（identifier; ID）を認識することにより、アクセサリシュー３２に対するビデオライト／フラッシュ部１５の装着を検知し、その結果を制御部８に報告する。
【００５４】
シューパワーセーブ部１６は、制御部８からの制御信号に応じて、アクセサリシュー３２に供給する電源を制限する部分である。シューパワーセーブ部１６は、アクセサリシュー３２に例えばビデオライト／フラッシュ部１５が装着された場合には、このビデオライト／フラッシュ部１５を使用しないときには、制御部８からの制御信号に従ってアクセサリシュー３２を介してビデオライト／フラッシュ部１５に供給される電源を制限して電力の消費を低減する。
【００５５】
すなわち、制御部８は、ビデオライト検出部１７からの検知結果によりアクセサリシュー３２にビデオライト／フラッシュ部１５が装着されたことを認識するが、現在の動作モードにおいてビデオライト／フラッシュ部１５が使用されない場合等でビデオライト／フラッシュ部１５への電源の供給が不要な場合には、シューパワーセーブ部１６にアクセサリシュー３２に装着されたビデオライト／フラッシュ部１５への電源を制限するように制御信号を送る。シューパワーセーブ部１６は、この制御信号に応じて、アクセサリシュー３２へ供給する電源を制限する。なお、この場合には、アクセサリシュー３２に装着されたビデオライト／フラッシュ部１５には、シューパワーセーブ部１６を介して電源が供給される。
【００５６】
シューパワーセーブ部１６は、制御部８からの制御信号によりオン／オフの切り換えが可能なスイッチとして構成することができる。
【００５７】
また、記録及び／又は再生装置は、情報を記憶する記憶手段である外付けメモリ１８を外付けユニットとして装着可能である。
【００５８】
外付けメモリ１８は、記録及び／又は再生装置の本体２２に装着されて、本体２２から送られる情報を記憶する。この外付けメモリ１８としては、情報を半導体素子に記憶する半導体記憶装置であってもよいし、情報を磁気的に記憶する磁気記憶装置であってもよい。すなわち、外付けメモリ１８は、取り外し可能なメモリや記録メディアであって、記録及び／又は再生装置の本体２２から電源が供給されるものである。
【００５９】
例えば、外付けメモリ１８は、図４に示すように、フロッピーディスクをメディアとして情報を記録するフロッピーディスクドライブとして構成される。この外付けメモリ１８は、図２および図３に示した外付けメモリ接続部３５にて本体２２に接続される。
【００６０】
記録及び／又は再生装置は、この外付けメモリ１８に対応する部分として、外付けメモリ１８の装着を検出するメモリ検出部２０と、外付けメモリ１８に対するパワーセーブの処理を行うメモリパワーセーブ部１９とを有している。
【００６１】
メモリ検出部２０は、記録及び／又は再生装置の本体２２に対する外付けメモリ１８の装着を検出する部分である。このメモリ検出部２０は、例えば、外付けメモリ１８から送られる識別情報を認識することにより、記録及び／又は再生装置の本体２２に対する外付けメモリ１８の装着を検知し、その結果を制御部８に報告する。
【００６２】
メモリパワーセーブ部１９は、制御部８からの制御信号に応じて、外付けメモリ１８に供給する電源を制限する部分である。メモリパワーセーブ部１９は、記録及び／又は再生装置の本体２２に例えば外付けメモリ１８が装着された場合には、この外付けメモリ１８を使用しないときには、制御部８からの制御信号に従って外付けメモリ１８に供給される電源を制限して電力の消費を低減する。
【００６３】
すなわち、制御部８は、メモリ検出部２０からの検知結果により記録及び／又は再生装置の本体２２に外付けメモリ１８が装着されたことを認識するが、現在の動作モードにおいて外付けメモリ１８が使用されない場合等で外付けメモリ１８への電源の供給が不要な場合には、メモリセーブ部１９に外付けメモリ１８への電源を制限するように制御信号を送る。メモリパワーセーブ部１９は、この制御信号に応じて、外付けメモリ１８へ供給する電源を制限する。なお、記録及び／又は再生装置の本体２２に装着された外付けメモリ１８には、メモリパワーセーブ部１９を介して電源が供給されている。
【００６４】
メモリパワーセーブ部１９は、制御部８からの制御信号によりオン／オフの切り換えが可能なスイッチとして構成することができる。
【００６５】
さらに、記録及び／又は再生装置は、外部から電源を供給するＡＣアダプター部または外部バッテリー部２１を外付けユニットとして装着が可能である。
【００６６】
ＡＣアダプター部とは、例えば家庭用ＡＣ電源をＤＣ数ボルトの電源に変換するものである。外部バッテリー部とは、例えば乾電池や蓄電池により構成され、所定電圧を電源として供給するものである。このＡＣアダプター（外付けメモリ）２１は、例えば１２．６Ｗの電力を供給することができる。
【００６７】
ＡＣアダプター（外付けバッテリー）２１は、図２に示すＡＣアダプター（外付けバッテリー）装着部３３に、図３に示すように装着される。なお、図３中に示されているのは外付けバッテリーである。
【００６８】
記録及び／又は再生装置の本体２２に装着された外付けユニットであるＡＣアダプター部（外部バッテリー部）２１から供給された電源は、図中の太線にて示される電源ラインを介して、カメラ信号処理部１、ビデオ信号処理部２、メカデッキ３、静止画信号処理部５、オートフォーカスセーブ部１０、ズームパワーセーブ部１２、赤外通信パワーセーブ部１４、シューパワーセーブ部１６、およびメモリパワーセーブ部１９の各部に供給されている。
【００６９】
そして、オートフォーカスパワーセーブ部１０を介してオートフォーカス部９、ズームパワーセーブ部１２を介してズーム部１１、赤外通信パワーセーブ部１４を介して赤外通信部１３、シューパワーセーブ部１６を介してビデオライト／フラッシュ部１５、メモリパワーセーブ部１９を介して外付けメモリ１８に、それぞれパワーセーブについて制御可能な状態で電源が供給されているのは上述の通りである。
【００７０】
なお、この記録及び／又は再生装置の他の部分にも、電源が供給されているが、本実施の形態に係るパワーセーブには関連が薄いので説明を省略した。
【００７１】
この記録及び／又は再生装置における電力の消費は、通常のカメラ撮りの際には５．２Ｗであるが、オートフォーカス、ズームおよびテープイジェクトの際にはラッシュ電流のためにさらに最大５Ｗの電力を要する。これに、外付けユニット等で要する電力を加えると、ＡＣアダプター（外付けユニット）２１から供給することができる電力を上回ることになる。
【００７２】
なお、上述の各パワーセーブ部、すなわちオートフォーカスパワーセーブ部１０、ズームパワーセーブ部１２、赤外通信パワーセーブ部１４、シューパワーセーブ部１６、および外付けメモリパワーセーブ部１９は、オン／オフの切り換えスイッチの場合や、当該部分の機能が停止することによるパワーセーブの場合など、パワーセーブの態様には種々ある。
【００７３】
続いて、本実施の形態における消費電力の低減であるパワーセーブについて説明する。
【００７４】
本実施の形態では、パワーセーブとは、この記録及び／又は再生装置において、一定の機能を実現するときに、当該機能の実現に不要な部分への電力の供給を自動的に制限することにより、全体の電力を抑制するものである。
【００７５】
例えば、記録及び／又は再生装置においては、動画を撮像するカメラモードにおいては、光源から光を照射することが必要ない程度に周囲が明るい場合には、ビデオライトは不要であるので、ビデオライトへの電源の供給は自動的に停止される。
【００７６】
具体的には、本実施の形態の記録及び／又は再生装置においては、パワーセーブは次のような場合に実行される。
【００７７】
第１の場合として、記録及び／又は再生装置においては、図示しないビデオカメラへの電源の供給をファンクションスイッチ６でオフ／オンするときや、メカデッキ３から記録媒体のテープを出し入れするときには大きな消費電力を要する。これは、メカデッキ３の初期化（イニシャライズ）に大きな電力を要するためである。
【００７８】
第２の場合として、記録及び／又は再生装置においては、図示しないビデオカメラにて動画を撮影するカメラモードがファンクションスイッチで選択されている際に、ユーザーが操作スイッチ７を操作して、上述した、レックレビューやエディットサーチ、エンドサーチなどのビデオテープの検索（サーチ）の系統の動作を実行するときには大電力を要する。これは、メカデッキ３の変速動作や動作の切り換えの際に大電力を要するためである。
【００７９】
第３の場合として、記録及び／又は再生装置においては、静止画を撮影するカメラモードや、画像を外付けメモリ１８に対して記録及び／又は再生するメモリモードがファンクションスイッチ６にて選択されている際に、外付けメモリ１８への書き込みや読み出しのアクセスの際に、メディアへのアクセスに大電力を要す。
【００８０】
このような第１の場合から第３の場合には、記録及び／又は再生装置においては、次のようなパワーセーブが行われる。
【００８１】
第１に、ビデオライト／フラッシュ部１５に供給される電源がオフにされる。
【００８２】
すなわち、この記録及び／又は再生装置のアクセサリシュー３２にビデオライト／フラッシュ部１５が装着されたことが、識別情報などによりビデオライト検出部１７で検出されたら、通常は制御部８がシューパワーセーブ部１６を介してアクセサリシュー３２への電源をオンする。
【００８３】
しかし、上述の第１の場合から第３の場合には、制御部８は、シューパワーセーブ部１６を介してビデオライト／フラッシュ部１５に供給される電源をオフする。これによって、ビデオライト／フラッシュ部１５で消費される電力が低減される。
【００８４】
第２に、オートフォーカスがオフにされる。
【００８５】
すなわち、ユーザーが操作スイッチ７でオートフォーカスをオンにしていると、オートフォーカスパワーセーブ部１０を介してオートフォーカス部９には電源が供給される。
【００８６】
しかし、上述の第１の場合から第３の場合には、制御部８は、ユーザーが操作スイッチ７でオートフォーカス部９をオンにしていても、オートフォーカスパワーセーブ部１０に作用して、オートフォーカス部９を動かさないで、電力を要さない制御をする。
【００８７】
第３に、ズームがオフにされる。
【００８８】
すなわち、ユーザーが操作スイッチ７でズームをオンにしていると、ズームパワーセーブ部１２を介してズーム部１１には電源が供給される。
【００８９】
しかし、上述の第１の場合から第３の場合には、制御部８は、ユーザーが操作スイッチ７でズーム部１１を動かそうとしても、ズームパワーセーブ部１２に作用してズーム部１１を動かさないように制御する。
【００９０】
また、記録及び／又は再生装置においては、図示しないビデオカメラで動画を記録中や動画を記録するモードに入った際には電力を要する。これは、通常のカメラＲＥＣで、ビデオカメラからの画像信号をテープに記録するため、ビデオ信号処理部２やメカデッキ３で大電力を要するためである。
【００９１】
これに対応するために、外付けメモリ１８にアクセスしないことにする。
【００９２】
すなわち、メモリ検出部２０で外付けメモリ１８のメディアが、この記録及び／又は再生装置の本体２２に装着されたことが検出されても、制御部８は、メモリパワーセーブ部１９にてパワーセーブを行って外付けメモリ１８にアクセスしないよう制御する。
【００９３】
外付けメモリ１８にアクセスしないことにより外付けメモリ１８の初期動作に必要な電力の消費が低減される。すなわち、外付けメモリ１８をオフとすることにより外付けメモリ１８に必要な例えば最大４．５Ｗの電力が低減される。
【００９４】
なお、メモリパワーセーブ部１９によるパワーセーブは、モード切り換えを行うファンクションスイッチ６の切り換えに連動させてもよい。
【００９５】
さらに、記録及び／又は再生装置においては、ファンクションスイッチ６がカメラモードやメモリーモードのときにビデオライト／フラッシュ部１５などで大電力を要する。
【００９６】
これに対応するために、通常はユーザーが操作スイッチ７で赤外通信（ＩＲ）部１３のオンを押圧すれば赤外通信部１３がオンするが、メカデッキ３に記録媒体のテープのカセットが挿入されていることをカセット挿入検出部４が検出すると、制御部８は、赤外通信パワーセーブ部１４を制御して赤外通信部１３を強制的にオフとする。
【００９７】
また、記録及び／又は再生装置の本体２２に外付けメモリ１８が装着されたことをメモリ検出部２０が検出すれば、制御部８は、同様に赤外通信部１３をオフとする。
【００９８】
以上のように、本実施の形態の記録及び／又は再生装置においては、大電力を要する機能を使うときに不要な機能は、ユーザーが選択しなくても自動的にオフして、大電力を要する機能が重複しないようにするパワーセーブを実行するものである。
【００９９】
すなわち、本実施の形態は、本体２２に装着する外付けユニットに対して電源供給する記録及び／又は再生において、起こり得る最大消費電力が電源供給能力を越える場合でも、実仕様に支障のない範囲で一部の機能を自動的に止めて、供給能力以内に収まるようにするものである。
【０１００】
なお、本実施の形態は、記録及び／又は再生装置としてカメラ一体型ＶＴＲについて具体例を示しながら示したが、機能の一部を削除したＶＴＲについても応用できることはもちろんである。例えば、本実施の形態は、ビデオカメラを備えないようなＶＴＲに対しても適用することができる。
【０１０１】
また、本実施の形態においては、ビデオライト／フラッシュ部１５や外付けメモリ１８が外付けタイプの例であるが、これらが本体２２に内蔵されていてもよいことはいうまでもない。すなわち、本実施の形態は、外付けユニットを接続したときだけではなく、本体の内蔵部分のパワーセーブも行うものである。
【０１０２】
さらに、本実施の形態においては、記録及び／又は再生装置は外部の機器と赤外線を用いて無線にて通信を行う例を示したが、本発明はこれに限定されず、一般の光通信を利用することができることはいうまでもない。
【０１０３】
【発明の効果】
上述のように、本発明においては、各部からの検出結果および動作モードに応じて不要な部分への電源の供給を制限するので、最大電力が電源の供給能力を超える場合でも、消費電力を供給能力に収めることができる。
【０１０４】
具体例で示したような、多くの機能を持ったカメラ一体型ＶＴＲにおいて、全てが同時に動作した場合を想定すると、膨大な供給電力を持った外部電源が必要となるが、本発明により、そこそこの能力を持った電源でも使えるようになり、ポータブル機器にとってはメリットが大きい。
【図面の簡単な説明】
【図１】記録及び／又は再生装置の概略的な構成を示すブロック図である。
【図２】ビューファインダーを起こした状態の記録及び／又は再生装置の斜視図である。
【図３】液晶画面を開いた状態の記録及び／又は再生装置の斜視図である。
【図４】外付けメモリを装着した状態の記録及び／又は再生装置の斜視図である。
【符号の説明】
８  制御部、９  オートフォーカス部、１０  オートフォーカスパワーセーブ部、１１  ズーム部、１２  ズームパワーセーブ部、１５  ビデオライト／フラッシュ部、１６  シューパワーセーブ部、１８  外付けメモリ部、１９  メモリパワーセーブ部、２１  ＡＣアダプター部（外部バッテリー部）
【図１】
0004646341.tif 000002
【図２】
0004646341.tif 000003
【図３】
0004646341.tif 000004
【図４】
0004646341.tif 000005